(57)【特許請求の範囲】
【請求項１】
建物の室内側に配置される箱体状の本体内にターボファンで構成される排気用ファンと、この排気用ファンの吸込み側に形成される排気用オリフィスと、前記排気用ファンの上流側で前記本体と前記排気用オリフィスとの間に設けられる吸込排気風路と、この吸込排気風路と室内を連通するように設けられる室内側排気口と、前記排気用オリフィスと排気用モータ固定板との間に設けられる第１吐出排気風路と、この第１吐出排気風路の下流側で前記排気用モータ固定板と前記本体との間に設けられる第２吐出排気風路と、この第２吐出排気風路と室外を連通するように設けられる室外側排気口と、ターボファンで構成されて前記本体内に配置される給気用ファンと、この給気用ファンの吸込み側に形成される給気用オリフィスと、前記給気用ファンの上流側で前記本体と前記給気用オリフィスとの間に設けられる吸込給気風路と、この吸込給気風路と室外を連通するように設けられる室外側給気口と、前記給気用オリフィスと給気用モータ固定板との間に設けられる第１吐出給気風路と、この第１吐出給気風路の下流側で前記給気用モータ固定板と前記本体との間に設けられる第２吐出給気風路と、この第２吐出給気風路と室内とを連通するように設けられる室内側給気口とを備え、前記給気用ファンの回転軸線を前記室内側給気口と前記室外側給気口に対して圧損の少ない位置に傾けて配置し、前記排気用ファンの回転軸線を前記室外側排気口と前記室内側排気口に対して圧損の少ない位置に傾けて設置したことを特徴とする換気装置。
【請求項２】
前記排気用ファンの回転軸と前記給気用ファンの回転軸を平行となるように設ける構成とした請求項１に記載の換気装置。
【請求項３】
前記排気用ファンの回転軸と前記給気用ファンの回転軸をともに、前記本体を設置する壁面に対して垂直方向に構成した請求項１に記載の換気装置。
【請求項４】
前記室外側排気口と前記室外側給気口に１本のダクトの内部を仕切り給気風路と排気風路を形成した二層ダクトを備える構成とした請求項１、２または３に記載の換気装置。
【請求項５】
前記第１吐出排気風路に排気ガイドを備えた請求項１、２、３または４に記載の換気装置。
【請求項６】
前記第１吐出給気風路に給気ガイドを備えた請求項１、２、３、４または５に記載の換気装置。
【請求項７】
前記室内側給気口と前記室内側排気口に風量を調節する手段を備えた請求項１、２、３、４、５または６に記載の換気装置。
【請求項８】
排気用ファンと排気用オリフィスと排気用モータと排気用モータ固定板で構成される排気ユニットと、給気用ファンと給気用オリフィスと給気用モータと給気用モータ固定板で構成される給気ユニットとを備えることを特徴とする請求項１、２、３、４、５、６または７に記載の換気装置。
【請求項９】
前記本体を排気側本体と給気側本体とに分割し、前記排気側本体内に前記排気ユニットを配し、前記給気側本体内に前記給気ユニットを配する構成とした請求項８に記載の換気装置。
【請求項１０】
前記排気側本体と前記給気側本体を一体に連結する連結手段を備える構成とした請求項９に記載の換気装置。
【請求項１１】
給気用ファンを囲む本体側面に断熱材を備える構成とした請求項１、２、３、４、５、６、７、８、９または１０に記載の換気装置。
【請求項１２】
給排気量を調節する給排気量調節手段を備える構成とした請求項１、２、３、４、５、６、７、８、９、１０または１１に記載の換気装置。
【請求項１３】
室外側給気口から室内側給気口までの間と、室内側排気口から室外側排気口までの間に温度を感知する温度感知装置をそれぞれ備え、前記温度感知装置が感知した温度差により給排気量を調節する給排気調節手段を備えた請求項１、２、３、４、５、６、７、８、９、１０、１１または１２に記載の換気装置。
【発明の詳細な説明】
【技術分野】
【０００１】
本発明は、建材や家具等に含まれるホルムアルデヒドやＶＯＣ（揮発性有機化合物）によって引き起こされるシックハウス症候群を軽減するために自宅で使用する給排気形の換気装置に関するものである。
【背景技術】
【０００２】
従来、この種の換気装置は、室内の空調状況を損なうことなく、室外空気を引き込み、汚れた室内空気を排出することのできる空気調和機の換気装置を提供することを目的としている。（例えば、特許文献１参照）。
【０００３】
以下、その換気装置について図１２を参照しながら説明する。
【０００４】
図に示すように、室内機の吸込口１００の近傍に室内空気を排出する排気口１０１と室外空気を供給する給気口１０２を設け、排気口１０１に連なる排気路１０３と給気口１０２に連なる給気路１０４と冷媒配管および接続ケーブル等を挿通する挿通路とに三分割した壁穴用パイプを介して壁面室外側に設けた換気部分１０５に導き、換気部分１０５に排気路１０３と給気路１０４に対応して２つのファンを有する送風機１０６を設け、送風機１０６の一方側のファンで室内空気を排出し、他方側のファンで換気部分１０５に設けた給気窓から室外空気を供給する。
【特許文献１】特開平５−７１７５３号公報（第３頁、第４図）
【発明の開示】
【発明が解決しようとする課題】
【０００５】
このような従来の換気装置では、排気用ファンおよび給気用ファンにシロッコファンを使用するため、シロッコファンを囲むスクロールケーシングを形成しなければならないため、全体として換気装置が大型化になるという課題があった。
【０００６】
本発明は、このような従来の課題を解決するものであり、小型の換気装置を提供することを目的としている。
【０００７】
また、装置を大型化しないで、排気と給気の性能を確保することのできる換気装置を提供することを目的としている。
【課題を解決するための手段】
【０００８】
上記目的を達成するために、本発明の換気装置は、建物の室内側に配置される箱体状の本体内に設けられ、それぞれをターボファンで構成する排気用ファンおよび給気用ファンと、前記本体の室内側に設けられる室内側排気口および室内側給気口と、前記室内側排気口と前記排気用ファンを介して連通するように前記本体の室外側に設けられて前記室内の空気を室外に排気するための室外側排気口と、前記室内側給気口と前記給気用ファンを介して連通するように前記本体の室外側に設けられて室外の空気を前記室内に取り入れるための室外側給気口とを備えたことを特徴とする。
【０００９】
また、本発明の換気装置は、建物の室内側に配置される箱体状の本体内にターボファンで構成される排気用ファンと、この排気用ファンの吸込み側に形成される排気用オリフィスと、前記排気用ファンの上流側で前記本体と前記排気用オリフィスとの間に設けられる吸込排気風路と、この吸込排気風路と室内を連通するように設けられる室内側排気口と、前記排気用オリフィスと排気用モータ固定板との間に設けられる第１吐出排気風路と、この第１吐出排気風路の下流側で前記排気用モータ固定板と前記本体との間に設けられる第２吐出排気風路と、この第２吐出排気風路と室外を連通するように設けられる室外側排気口と、ターボファンで構成されて前記本体内に配置される給気用ファンと、この給気用ファンの吸込み側に形成される給気用オリフィスと、前記給気用ファンの上流側で前記本体と前記給気用オリフィスとの間に設けられる吸込給気風路と、この吸込給気風路と室外を連通するように設けられる室外側給気口と、前記給気用オリフィスと給気用モータ固定板との間に設けられる第１吐出給気風路と、この第１吐出給気風路の下流側で前記給気用モータ固定板と前記本体との間に設けられる第２吐出給気風路と、この第２吐出給気風路と室内とを連通するように設けられる室内側給気口とを備えたことを特徴とする。
【００１０】
また、本発明の換気装置は、前記排気用ファンの回転軸と前記給気用ファンの回転軸を平行となるように設ける構成とする。
【００１１】
また、本発明の換気装置は、建物の室内側に配置される箱体状の本体内にターボファンで構成される排気用ファンと、この排気用ファンの吸込み側に形成される排気用オリフィスと、前記排気用ファンの上流側で前記本体と前記排気用オリフィスとの間に設けられる吸込排気風路と、この吸込排気風路と室内を連通するように設けられる室内側排気口と、前記排気用オリフィスと排気用モータ固定板との間に設けられる第１吐出排気風路と、この第１吐出排気風路の下流側で前記排気用モータ固定板と前記本体との間に設けられる第２吐出排気風路と、この第２吐出排気風路と室外を連通するように設けられる室外側排気口と、ターボファンで構成されて前記本体内に配置される給気用ファンと、この給気用ファンの吸込み側に形成される給気用オリフィスと、前記給気用ファンの上流側で前記本体と前記給気用オリフィスとの間に設けられる吸込給気風路と、この吸込給気風路と室外を連通するように設けられる室外側給気口と、前記給気用オリフィスと給気用モータ固定板との間に設けられる第１吐出給気風路と、この第１吐出給気風路の下流側で前記給気用モータ固定板と前記本体との間に設けられる第２吐出給気風路と、この第２吐出給気風路と室内とを連通するように設けられる室内側給気口とを備え、前記排気用ファンの回転軸と前記給気用ファンの回転軸をともに、前記本体を設置する壁面に対して垂直方向に構成したことを特徴とする。
【００１２】
また、本発明の換気装置は、前記室外側排気口と前記室外側給気口に１本のダクトの内部を仕切り給気風路と排気風路を形成した二層ダクトを備える構成とする。
【００１３】
また、本発明の換気装置は、前記第１吐出排気風路に排気ガイドを備えたことを特徴とする。
【００１４】
また、本発明の換気装置は、前記第１吐出給気風路に給気ガイドを備えたことを特徴とする。
【００１５】
また、本発明の換気装置は、前記室内側給気口と前記室内側排気口に風量を調節する手段を備えたことを特徴とする。
【００１６】
また、本発明の換気装置は、排気用ファンと排気用オリフィスと排気用モータと排気用モータ固定板で構成される排気ユニットと、給気用ファンと給気用オリフィスと給気用モータと給気用モータ固定板で構成される給気ユニットとを備えることを特徴とする。
【００１７】
また、本発明の換気装置は、前記本体を排気側本体と給気側本体とに分割し、前記排気側本体内に前記排気ユニットを配し、前記給気側本体内に前記給気ユニットを配する構成とする。
【００１８】
また、本発明の換気装置は、前記排気側本体と前記給気側本体を一体に連結する連結手段を備える構成とする。
【００１９】
また、本発明の換気装置は、給気用ファンを囲む本体側面に断熱材を備える構成とする。
【００２０】
また、本発明の換気装置は、給排気量を調節する給排気量調節手段を備える構成とする。
【００２１】
また、本発明の換気装置は、室外側給気口から室内側給気口までの間と、室内側排気口から室外側排気口までの間に温度を感知する温度感知装置をそれぞれ備え、前記温度感知装置が感知した温度差により給排気量を調節する給排気調節手段を備えたことを特徴とする。
【発明の効果】
【００２２】
本発明の換気装置によれば、小型の換気装置を提供することができる。
【００２３】
また、装置を大型化しないで、排気と給気の性能を確保することのできる換気装置が得られる。
【発明を実施するための最良の形態】
【００２５】
請求項１に記載の換気装置は、建物の室内側に配置される箱体状の本体内にターボファンで構成される排気用ファンと、この排気用ファンの吸込み側に形成される排気用オリフィスと、前記排気用ファンの上流側で前記本体と前記排気用オリフィスとの間に設けられる吸込排気風路と、この吸込排気風路と室内を連通するように設けられる室内側排気口と、前記排気用オリフィスと排気用モータ固定板との間に設けられる第１吐出排気風路と、この第１吐出排気風路の下流側で前記排気用モータ固定板と前記本体との間に設けられる第２吐出排気風路と、この第２吐出排気風路と室外を連通するように設けられる室外側排気口と、ターボファンで構成されて前記本体内に配置される給気用ファンと、この給気用ファンの吸込み側に形成される給気用オリフィスと、前記給気用ファンの上流側で前記本体と前記給気用オリフィスとの間に設けられる吸込給気風路と、この吸込給気風路と室外を連通するように設けられる室外側給気口と、前記給気用オリフィスと給気用モータ固定板との間に設けられる第１吐出給気風路と、この第１吐出給気風路の下流側で前記給気用モータ固定板と前記本体との間に設けられる第２吐出給気風路と、この第２吐出給気風路と室内とを連通するように設けられる室内側給気口とを備え、前記給気用ファンの回転軸線を前記室内側給気口と前記室外側給気口に対して圧損の少ない位置に傾けて配置し、前記排気用ファンの回転軸線を前記室外側排気口と前記室内側排気口に対して圧損の少ない位置に傾けて設置したことを特徴とするものであり、室内と吸込排気風路を仕切っているすべての本体面に室内側排気口を自由に設けることができる。また、室外と第２吐出排気風路を仕切っているすべての本体面に室外側排気口を自由に設けることができる。また、室外と吸込給気風路を仕切っているすべての本体面に室外側給気口を自由に設けることができる。また、室内と第２吐出給気風路を仕切っているすべての本体面に室内側給気口を自由に設けることができる。さらに、これらの効果により、本体寸法を小型に形成した場合でも、給気口または排気口を本体のあらゆる面に形成することができるので、風量の低減することなく、小型でかつ所望の性能を有する換気装置が得られる。
【００２６】
請求項２に記載の発明は、請求項１に記載の換気装置において、前記排気用ファンの回転軸と前記給気用ファンの回転軸を平行となるように設ける構成としたものであり、給気用ファンの回転軸と排気用ファンの回転軸が同軸であれば、１つの両軸のモータで給気用ファンと換気用ファンを回転させることができる。
【００２７】
請求項３に記載の換気装置は、請求項１に記載の換気装置において、前記排気用ファンの回転軸と前記給気用ファンの回転軸をともに、前記本体を設置する壁面に対して垂直方向に構成したことを特徴とするものであり、室内と吸込排気風路を仕切っているすべての本体面に室内側排気口を自由に設けることができる。また、室外と第２吐出排気風路を仕切っているすべての本体面に室外側排気口を自由に設けることができる。また、室外と吸込給気風路を仕切っているすべての本体面に室外側給気口を自由に設けることができる。また、室内と第２吐出給気風路を仕切っているすべての本体面に室内側給気口を自由に設けることができる。さらに、壁面から突出する本体の奥行き厚さを小さくすることができ、本体を薄型にすることができる。
【００２８】
請求項４に記載の発明は、請求項１、２または３に記載の換気装置において、前記室外側排気口と前記室外側給気口に１本のダクトの内部を仕切り給気風路と排気風路を形成した二層ダクトを備える構成としたものであり、建物の壁等に１箇所の貫通穴を開口させるだけで良いため、施工性が良く、建物の気密性を保つことができる。
【００２９】
請求項５に記載の発明は、請求項１、２、３または４に記載の換気装置において、前記第１吐出排気風路に排気ガイドを備えたものであり、排気ガイドを備えることにより、排気用ファンから吐き出される気流をスムーズに室外側排気口に導入することができ、風路抵抗を低減し、風量特性を向上させることができる。
【００３０】
請求項６に記載の発明は、請求項１、２、３、４または５に記載の換気装置において、前記第１吐出給気風路に給気ガイドを備えたものであり、給気ガイドを備えることにより、給気用ファンから吐き出される気流をスムーズに室内側給気口に導入することができ、風路抵抗を低減し、風量特性を向上させることができる。
【００３１】
請求項７に記載の発明は、請求項１、２、３、４、５または６に記載の換気装置において、前記室内側給気口と前記室内側排気口に風量を調節する手段を備えたものであり、簡単な構成で排気風量と給気風量を調節することができる。
【００３２】
請求項８に記載の発明は、請求項１、２、３、４、５、６または７に記載の換気装置において、排気用ファンと排気用オリフィスと排気用モータと排気用モータ固定板で構成される排気ユニットと、給気用ファンと給気用オリフィスと給気用モータと給気用モータ固定板で構成される給気ユニットとを備えることを特徴とするものであり、小型に構成した各ユニットを本体内に配置することで、所望の形状や大きさに換気装置本体を形成するとが可能となり、また、他の付加機能部品と組み合わせて各ユニットを配置することで所望の機能を有する装置を小型化して構成することができる。また、排気ユニットと給気ユニットを同じ形状とすれば、部品を流用することもできる。
【００３３】
請求項９に記載の発明は、請求項８に記載の換気装置において、前記本体を排気側本体と給気側本体とに分割し、前記排気側本体内に前記排気ユニットを配し、前記給気側本体内に前記給気ユニットを配する構成としたものであり、各ユニットを一体としなくても排気ユニットおよび給気ユニットをそれぞれ単体として使用することも可能となる。例えば、それぞれを離して配置したり、他の機能部材と組み合わせて別体として使用することができる。
【００３４】
請求項１０に記載の発明は、請求項９に記載の換気装置において、前記排気側本体と前記給気側本体を一体に連結する連結手段を備える構成としたものであり、前記排気側本体と前記給気側本体をしっかり連結した後に、施工することができるため施工性がよい。また、前記排気側本体と前記給気側本体を隙間なく連結することができるため気密性を保つことができる。
【００３５】
請求項１１に記載の発明は、請求項１、２、３、４、５、６、７、８、９または１０に記載の換気装置において、給気用ファンを囲む本体側面に断熱材を備えたことを特徴とするものであり、冬季など低温の外気を給気する際、断熱材の断熱作用により結露を防ぐことができる。
【００３６】
請求項１２に記載の発明は、１、２、３、４、５、６、７、８、９、１０または１１に記載の換気装置において、給排気量を調節する給排気量調節手段を備えたことを特徴としたものであり、冬期で給気側の結露防止、およびコールドドラフト現象を防止し、また、冷暖房された部屋の冷暖房効果の低下を防止することができる。
【００３７】
請求項１３に記載の発明は、請求項１、２、３、４、５、６、７、８、９、１０、１１または１２に記載の換気装置において、室外側給気口から室内側給気口までの間と、室内側排気口から室外側排気口までの間に温度を感知する温度感知装置をそれぞれ備え、前記温度感知装置が感知した温度差により給排気量を調節する給排気調節手段を備えたことを特徴としたものであり、冬期で給気側の結露防止、およびコールドドラフト現象を防止し、また、冷暖房された部屋の冷暖房効果の低下を防止することができる。
【００３８】
以下、本発明の換気装置の形態について、図１〜図１１を参照しながら説明する。
【００３９】
（実施の形態１）
図１は本発明の実施の形態１における換気装置の構成を示す斜視図である。図２は図１に示す換気装置の横断面図である。なお、図１は、換気装置の構成が分かりやすいように本体１の１つの面を取り外した際の斜視図である。
【００４０】
図１および図２に示すように、本発明の換気装置は、建物の室内側の壁面に設置される箱体状の本体１内に室外側に向かって排気するための排気用ファン２と、排気用ファン２を回転させる排気用モータ３と、室内側に向かって給気するための給気用ファン４と、給気用ファン４を回転させる給気用モータ５と、排気用ファン２を介して室内側排気口６と連通するよう備えた室外側排気口７と、給気用ファン４を介して室外側給気口８と連通するように備えた室内側給気口９とを備え、給気用ファン４と排気用ファン２をそれぞれターボファンとした構成となっている。ここで、ターボファンとは遠心送風機の中で特にファン出口のブレードの向きが、回転の逆方向に傾いている遠心送風機をいう。
【００４１】
また、本体１を取り付ける壁面と一致する本体面上に半円形状の室外側給気口８と室外側排気口７を備え、円形状となるように室外側給気口８と室外側排気口７を合わせた構成となっている。また、本体１を取り付ける壁面を正面視すると、室外側給気口８と室外側排気口７を合わせた円形状は本体１の中心に位置する。
【００４２】
また、室内側給気口９と室内側排気口６は四角形形状で、同じ本体面に形成されない構成となっており、室内側給気口９を本体１の上面左側に備え、室内側排気口６を本体１の下面右側に形成したものである。
【００４３】
なお、室外側給気口８と室外側排気口７を半円形状としたが、これと接続されるダクトの形状に合わせて、半円形状でない形状とする場合もあり、また、一体でなくそれぞれ個別のダクトと接続する場合には、室外側給気口８と室外側排気口７を円形状となるように合わせる必要もない。
【００４４】
また、室内側給気口９と室内側排気口６を四角形形状としたが、必ずしも四角形形状にする必要はない。
【００４５】
図１に示すように、本発明の換気装置は、排気用ファン２と給気用ファン４のそれぞれの周囲にスクロールケーシングを備えない構成となっている。ここで、スクロールケーシングとは吸込部、舌部、ディフューザ部、吐出部により羽根車を囲むように構成するものであり、羽根車回転軸に垂直な平面を正面視したとき、舌部は羽根車外周部との最小隙間を含む部位であり、ディフューザ部は舌部からうず巻状にし、下流側の吐出口に向かうにつれて、羽根車外周部との隙間を徐々に拡大するように構成するものをいう。
【００４６】
図２に示すように、排気用ファン２の上流側で、かつ、本体１と排気用オリフィス１０との間に設けた吸込排気風路１１と、排気用オリフィス１０と排気用モータ固定板１２との間に設けた第１吐出排気風路１３と、第１吐出排気風路１３の下流側で、かつ、排気用モータ固定板１２と本体１との間に設けた第２吐出排気風路１４とを備える。給気用ファン４の上流側で、かつ、本体１と給気用オリフィス１５との間に設けた吸込給気風路１６と、給気用オリフィス１５と給気用モータ固定板１７との間に設けた第１吐出給気風路１８と、第１吐出給気風路１８の下流側で、かつ、給気用モータ固定板１７と本体１との間に設けた第２吐出給気風路１９とを備える。
【００４７】
また、室内側排気口６は吸込排気風路１１と室内を連通させるために、本体１のどこに備えてもよく、複数個備えてもよい。同様に、室内側給気口９は第２吐出給気風路１９と室内を連通させるために、本体１のどこに備えてもよく、複数個備えてもよい。
【００４８】
また、排気用モータ固定板１２には、第１吐出排気風路１３と第２吐出排気風路１４を連通させるために、排気穴２０を形成する。同様に、給気用モータ固定板１７には、第１吐出給気風路１８と第２吐出給気風路１９を連通させるために、給気穴２１を形成する。排気穴２０は、排気用ファンの回転軸線２２に対して垂直な平面を正面視すると排気用ファン２と重ならないように構成する。同様に、給気穴２１は給気用ファンの回転軸線２３に対して垂直な平面を正面視すると給気用ファン４と重ならないように構成する。
【００４９】
また、排気用ファン２の吸込みが室内側排気口６に向くように排気用ファンの回転軸線２２を傾けて配設する。同様に、給気用ファン４の吸込みが室外側給気口８に向くように給気用ファンの回転軸線２３を傾けて配設する。
【００５０】
また、室外側排気口７に吐出する風路抵抗を小さくするように、排気用ファンの回転軸線２２を傾けるように構成する。同様に、室内側給気口９に吐出する風路抵抗を小さくするように、給気用ファンの回転軸線２３を傾けるように構成する。
【００５１】
また、排気用ファンの回転軸線２２と給気用ファンの回転軸線２３を同軸として構成した場合、１つの両軸モータで給気用ファン４と排気用ファン２を回転させることができる。
【００５２】
なお、給気用ファン４の位置を室内側給気口９と室外側給気口８に対して、圧損の少ない位置に設けるために給気用ファンの回転軸線２３を傾けて配置する。また、排気用ファン２の位置を室外側排気口７と室内側排気口６に対して、圧損の少ない位置に設けるために排気用ファンの回転軸線２２を傾けて設置する。
【００５３】
以上のように本実施の形態によれば、排気用ファン２と給気用ファン４のそれぞれの周囲にスクロールケーシングを備えない構成とすることにより、スクロールケーシング分のスペースが不必要となり、換気装置本体の内部に必要なスペースを低減して小型の換気装置を提供することができる。
【００５４】
また、排気用ファン２と給気用ファン４をそれぞれターボファンとすることにより、スクロールケーシングを形成しなくても一定以上のファン特性を発揮することができる。
【００５５】
また、本実施の形態によれば、排気用ファン２と給気用ファン４のそれぞれの周囲にスクロールケーシングを備えない構成とすることにより、室内側排気口６と室内側給気口９を換気装置の取付け位置により自由に設定することができるため、室内の壁による風路抵抗を小さくすることができる。
【００５６】
また、本実施の形態によれば、排気用ファン２と給気用ファン４をそれぞれターボファンとすることにより、室内側排気口６と室内側給気口９を換気装置の取付け位置により自由に設定することができるため、室内の壁による風路抵抗を小さくすることができる。
【００５７】
（実施の形態２）
図３は排気用ファンの回転軸線２２と給気用ファンの回転軸線２３を壁面２４に対して、垂直とした換気装置の斜視図である。図４は図３の横断面図である。図５は排気ガイドと給気ガイドを備えた換気装置の正面図である。図６は風量を調節する手段を備えた換気装置の斜視図である。図７は排気ユニットと給気ユニットの分解図である。図８は排気側本体と給気側本体を１つに連結させるための連結手段を示す斜視図である。図９は給気用ファン４を囲む本体側面の斜視図である。図１０は給排気量を調節する給排気量調節手段を設けた斜視図である。図１１は温度を感知する温度感知装置を設けた本体側面の斜視図である。
【００５８】
図４に示すように、排気用ファンの回転軸線２２と給気用ファンの回転軸線２３が壁面２４に対して、垂直となるように構成されている。
【００５９】
また、排気用ファン２と給気用ファン４の向きを上下反対となるように構成している。
【００６０】
また、給気用ファンの回転軸線２３および排気用ファンの回転軸線２２は、換気装置が設置される壁面２４に対して垂直な方向であるが、ここでいう「壁面２４に対して垂直方向に配設する」ということは、ファンの形状はその排気用ファンの回転軸線２２および給気用ファンの回転軸線２３に平行な方向よりも垂直な方向のほうが長く形成されるものであるため、給気用ファン４および排気用ファン２を配設する際に各ファンの吸込口が壁面２４に沿ってほぼ平行となるようにすることでファンの室内側への突出長さを小さく押さえ、換気装置本体の室内側へ突出する厚さを薄くする作用効果があることを意図している。すなわち、本体１を壁面２４に取り付けたときに給気用ファンの回転軸線２３および排気用ファンの回転軸線２２が、壁面２４の状態等により、結果的に壁面２４に対して垂直方向からわずかに傾いて設置される場合や、給気用ファンの回転軸線２３および排気用ファンの回転軸線２２を壁面２４に対して垂直方向からわずかに傾けて換気装置を構成した場合でも、本体１内に設けられる給気用ファン４および排気用ファン２の各吸込面が壁面２４に沿ってほぼ平行な状態になるときには本発明に含まれるものである。
【００６１】
また、排気用ファン２と給気用ファン４の周囲にスクロールケーシングを形成しない構成となっている。
【００６２】
また、本体１を取り付ける壁面２４と一致する本体面上に半円形状の室外側給気口８と室外側排気口７を備え、円形状となるように室外側給気口８と室外側排気口７を合わせた構成となっている。また、取り付ける壁面を正面視すると、室外側給気口８と室外側排気口７を合わせた円形状は本体１の中心に位置し、この室外側給気口８と室外側排気口７に１本のダクトの内部を仕切り給気風路２５と排気風路２６を形成した二層ダクト２７を取り付ける構成となっている。
【００６３】
図５に示すように、第１吐出排気風路１３に排気ガイド２８ａ、２８ｂ、２８ｃ、２８ｄを構成する。ここで、排気ガイド２８ａ、２８ｃは本体１の側面と排気用ファン２の外周部との距離が最も近い部分付近から排気穴２０までＲ形状の部品で徐々に排気用ファン２の外周部との距離が広がるように形成したものである。また、排気ガイド２８ｂ、２８ｄは排気穴２０の端面から本体１の側面と排気用ファン２の外周部との距離が最も近い部分付近までＲ形状の部品で徐々に排気用ファン２の外周部との距離が縮まるように形成したものである。また、例えば、１つ排気ガイド２８ａのみで排気用ファン２すべてを囲む構成ではなく、排気用ファン２の一部を囲むという構成となっている。なお、排気ガイド２８ａ、２８ｂ、２８ｃ、２８ｄを４つ備えたが、必ずしも４つ必要というわけではない。本体構成などによりその数を増減して設置する必要がある。また、排気ガイド２８ａ、２８ｂ、２８ｃ、２８ｄは、Ｒ形状でなく連続する平面で形成してもよい。
【００６４】
同様に、第１吐出給気風路１８に給気ガイド２９ａ、２９ｂ、２９ｃ、２９ｄを構成する。ここで、給気ガイド２９ａ、２９ｃは本体１の側面と給気用ファン４の外周部との距離が最も近い部分付近から給気穴２１までＲ形状の部品で徐々に給気用ファン４の外周部との距離が広がるように形成したものである。また、給気ガイド２９ｂ、２９ｄは給気穴２１の端面から本体１の側面と給気用ファン４の外周部との距離が最も近い部分付近までＲ形状の部品で徐々に給気用ファン４の外周部との距離が縮まるように形成したものである。また、例えば、１つの給気ガイド２９ａのみで給気用ファン４すべてを囲む構成ではなく、給気用ファン４の一部を囲むという構成となっている。なお、給気ガイド２９ａ、２９ｂ、２９ｃ、２９ｄを４つ備えたが、必ずしも４つ必要というわけではない。本体構成などによりその数を増減して設置する必要がある。また、給気ガイド２９ａ、２９ｂ、２９ｃ、２９ｄは、Ｒ形状でなく連続する平面で形成してもよい。
【００６５】
図６に示すように、室内側排気口６に風量を調節する手段であるスライド式の排気風量調節板３０を備えた構成とする。排気風量調節板３０は取り付け壁面に対して垂直方向に手動によりスライドする。また、同様に、室内側給気口９に風量を調節する手段であるスライド式の給気風量調節板３１を備えた構成とする。給気風量調節板３１は取り付け壁面に対して垂直方向に手動によりスライドする。
【００６６】
また、排気風量調節板３０および給気風量調節板３１はモータによりスライドするという構成でもよい。
【００６７】
なお、排気風量調節板３０および給気風量調節板３１は、ともに本体１の取り付け壁面２４に対して垂直方向に手動によりスライドするような構成としたが、取り付け壁面２４に対して平行方向にスライドするような構成としてもよい。
【００６８】
図７に示すように、排気用ファン２と排気用オリフィス１０と排気用モータ３と排気用モータ固定板１２で構成される排気ユニット３２と、給気用ファン４と給気用オリフィス１５と給気用モータ５（図示しない）と給気用モータ固定板１７で構成される給気ユニット３３とを備え、本体１を２つに分割した１つの排気側本体３４に排気ユニット３２を備え、もう１つの給気側本体３５に給気ユニット３３をそれぞれ備えた構成となっている。
【００６９】
図８に示すように、排気側本体３４と給気側本体３５を連結させるために、排気側本体３４に凸ガイド３６、給気側本体３５に凹ガイド３７を備え、凸ガイド３６の凸の部分と凹ガイド３７の凹の部分を合致させ、本体の取り付け壁面２４に沿う縦方向にスライドさせることで連結手段を構成する。
【００７０】
図９に示すように、給気用ファン４を囲む本体側面に断熱材３８ａ、３８ｂ、３８ｃ、３８ｄを備えた構成となっている。
【００７１】
図１０に示すように、給排気量を調節する給排気量調節手段を備える。具体的には、換気装置に取っ手を備えた給排気量調節レバー３９を備え、壁面２４に沿う横方向にスライドさせ、２段階に切り換えができる構成となっている。給排気量調節レバー３９は、制御系と連動しており、給排気量調節レバー３９を２段階に切り換えることで排気用モータ３および給気用モータ５の回転数を変化させ、給排気量を調節するという構成となっている。
【００７２】
図１１に示すように、室外側給気口８付近に温度センサ４０ａおよび室外側排気口７付近に温度センサ４０ｂをそれぞれ備える構成とする。なお、温度センサ３７ａは室内側給気口９から室外側給気口８の間の風路に備えればよい。同様に、温度センサ３７ｂは室外側排気口７から室内側排気口６の間の風路に備えればよい。
【００７３】
なお、実施の形態２は、実施の形態１の構成に対して上述の記載のみ異なるものであり、その他の構成は同様でありその説明は省略する。
【００７４】
以上のように本実施の形態によれば、排気用ファン２および給気用ファン４の形状は排気用ファンの回転軸線２２および給気用ファンの回転軸線２３と平行な方向よりも垂直な方向のほうが長く形成されるものであるため、給気用ファン４および排気用ファン２を配設する際に各ファンの吸込面が壁面２４に沿ってほぼ平行となるようにすることで、ファンの室内側への突出長さを小さく押さえ、換気装置本体の室内側へ突出する厚さを薄くすることができる。
【００７５】
また、本実施の形態によれば、排気ガイド２８ａ、２８ｂ、２８ｃ、２８ｄを備えることにより、第１吐出排気風路１３を有効に活用して排気用ファン２から吐き出した流体を効率良く室外側排気口７に吐出することができる。
【００７６】
また、同様に、給気ガイド２９ａ、２９ｂ、２９ｃ、２９ｄを備えることにより、第１吐出給気風路を有効に活用して給気用ファン４から吐き出した流体を効率良く室内側給気口９に吐出することができる。
【００７７】
また、本実施の形態によれば、給排気調節手段、または給排気量調節を構成することにより、簡単な構造で給排気量を調節できるため、複雑な制御系を必要とせず、装置の制作費を削減することができる。
【００７８】
また、本実施の形態によれば、排気側本体３４と給気側本体３５を１つに連結させれば、給気と排気を同時に行う換気装置を小型に構成できる。また、排気側本体３４と給気側本体３５を単体で使用することもできる。排気側本体３４に備えた排気ユニット３２と給気側本体３５に備えた給気ユニット３３を同じ部品で構成した場合には、制作費を削減することができる。
【００７９】
また、本実施の形態によれば、凸ガイド３６と凹ガイド３７により、排気側本体３４と給気側本体３５を簡単な構造で連結させることができ、排気側本体３４と給気側本体３５をしっかり連結した後に、施工することができるため施工性がよい。また、排気側本体と給気側本体を隙間なく連結することができるため気密性を保つことができる。
【００８０】
また、本実施の形態によれば、冬季など低温の外気を室外側給気口８より給気する際に、給気用ファン４を囲む本体側面に断熱材３８ａ、３８ｂ、３８ｃ、３８ｄで形成されていることにより断熱作用によって結露を防ぐ効果を有する。
【００８１】
また、本実施の形態によれば、２段階に切り換わる運転モードは、通常運転と、冬期で給気側の結露防止、およびコールドドラフト現象を防止し、また、冷暖房された部屋の冷暖房効果の低下を防止するために給排気量を減少させる運転モードである。この給排気量調節レバー３９により、必要に応じて、給排気量を調節することができる効果を有する。
【００８２】
また、本実施の形態によれば、給気空気温度を温度センサ４０ａおよび排気空気温度を温度センサ４０ｂで測定し、室内側給気口９から室外側給気口８間および室外側排気口７から室内側排気口６間の温度差により、給排気量を調節することで、冬期で給気側の結露防止、およびコールドドラフト現象を防止し、また、冷暖房された部屋の冷暖房効果の低下を防止する効果を有する。
【産業上の利用可能性】
【００８３】
本発明にかかる換気装置は、装置本体を小型化、薄形化にできるので、室内側に配置される換気装置、送風装置、空調装置などに適用することにおいて有用である。
【図面の簡単な説明】
【００８４】
【図１】本発明の実施の形態１における換気装置の構成を示す斜視図
【図２】同換気装置における図１の横断面図
【図３】本発明の実施の形態２における換気装置の構成を示す斜視図
【図４】同換気装置における図３の横断面図
【図５】同換気装置における排気ガイドと給気ガイドを示す正面図
【図６】同換気装置における風量を調節する手段を示す斜視図
【図７】同換気装置における排気ユニットと給気ユニットを示す分解斜視図
【図８】同換気装置における連結手段を示す斜視図
【図９】同換気装置における給気用ファンを囲む断熱材を示す斜視図
【図１０】同換気装置における給排気量調節手段を示す斜視図
【図１１】同換気装置における温度感知装置を示す斜視図
【図１２】従来の換気装置を示す横断面図
【符号の説明】
【００８５】
１      本体
２      排気用ファン
３      排気用モータ
４      給気用ファン
５      給気用モータ
６      室内側排気口
７      室外側排気口
８      室外側給気口
９      室内側給気口
１０    排気用オリフィス
１１    吸込排気風路
１２    排気用モータ固定板
１３    第１吐出排気風路
１４    第２吐出排気風路
１５    給気用オリフィス
１６    吸込給気風路
１７    給気用モータ固定板
１８    第１吐出給気風路
１９    第２吐出給気風路
２０    排気穴
２１    給気穴
２２    排気用ファンの回転軸線
２３    給気用ファンの回転軸線
２４    壁面
２５    給気風
２６    排気風路
２７    二層ダクト
２８ａ、２８ａ、２８ｃ、２８ｄ    排気ガイド
２９ａ、２９ａ、２９ｃ、２９ｄ    給気ガイド
３０    排気風量調節板
３１    給気風量調節板
３２    排気ユニット
３３    給気ユニット
３４    排気側本体
３５    給気側本体
３６    凸ガイド
３７    凹ガイド
３８ａ、３８ｂ、３８ｃ、３８ｄ    断熱材
３９    給排気調節レバー
４０ａ、４０ｂ  温度センサ  
【図１】
0004617745.tif 000002
【図２】
0004617745.tif 000003
【図３】
0004617745.tif 000004
【図４】
0004617745.tif 000005
【図５】
0004617745.tif 000006
【図６】
0004617745.tif 000007
【図７】
0004617745.tif 000008
【図８】
0004617745.tif 000009
【図９】
0004617745.tif 000010
【図１０】
0004617745.tif 000011
【図１１】
0004617745.tif 000012
【図１２】
0004617745.tif 000013